(57)【要約】【課題】嵌合式屋根材の施工に当たり、屋根材の裏面が傷付いたりその裏面の断熱材が剥がれたりしない屋根材を提案することにある。【解決手段】矩形状主板部の幅方向両端側縁に沿ってすくい側嵌合部と被せ側嵌合部とを曲成してなる金属板製の屋根材において、その被せ側嵌合部が、主板部からの延在位置に形成された被せ側立上り部と、この被せ側立上り部の延在位置に形成された、略水平な被せ側中央凹部ならびにこの中央凹部を挟んでその両側に位置する被せ側第１凸部および被せ側第２凸部とを連設してなり、前記第１凸部は、前記被せ側立上り部の延在位置に形成された被せ側第１嵌合アゴ部と、この第１嵌合アゴ部の延在位置に略水平に張り出した被せ側第１頂辺と、この頂辺端部から曲成された被せ側第１立下り辺と、この第１立下り辺下縁に形成された被せ側第１傾斜辺とによって構成され、前記第１凸部の前記被せ側第１立下り辺は、下方へゆくほど前記中央凹部へ近づいて垂直から僅かに傾斜しているものである。【選択図】  図２
2011219980.tif 000002
【特許請求の範囲】
【請求項１】
矩形状主板部の幅方向両端側縁に沿ってすくい側嵌合部と被せ側嵌合部とを曲成されてなる金属板製の屋根材において、
前記すくい側嵌合部は；
主板部からの延在位置に形成されたすくい側立上り部と、このすくい側立上り部からの延在位置に形成されたすくい側嵌合アゴ部と、この嵌合アゴ部からの延在位置に立ち上がるすくい側傾斜外辺と、この傾斜外辺上端から略水平に張り出したすくい側頂辺と、この頂辺から下向きに形成されたすくい側傾斜内辺と、この傾斜内辺からの延在位置に形成されたすくい側引掛け辺と、によって構成され、
前記被せ側嵌合部は；
主板部からの延在位置に形成された被せ側立上り部と、この被せ側立上り部からの延在位置に形成された、略水平な被せ側中央凹部ならびにこの中央凹部を挟んでその両側に位置する被せ側第１凸部および被せ側第２凸部と、を連設されてなるものであって、
前記第１凸部は、前記被せ側立上り部からの延在位置に形成された被せ側第１嵌合アゴ部と、この第１嵌合アゴ部からの延在位置に略水平に張り出した被せ側第１頂辺と、この頂辺端部から曲成された被せ側第１立下り辺と、この第１立下り辺下縁に形成された被せ側第１傾斜辺と、によって構成され、
前記第２凸部は、前記中央凹部から曲成された被せ側第２傾斜辺と、この傾斜辺上端から立ち上げられた被せ側第２立上り辺と、この立上り辺上端から曲成された被せ側第２頂辺と、この第２頂辺端部から曲成された被せ側第２嵌合アゴ部と、この第２嵌合アゴ部下縁から外側に向けて折返された被せ側引掛け辺と、によって構成され、
前記第１凸部の前記被せ側第１立下り辺は下方へゆくほど前記中央凹部側へ寄るように垂直から僅かに傾斜していることを特徴とする嵌合式屋根材。
【請求項２】
前記被せ側嵌合部の前記第２凸部の前記被せ側第２立上り辺は下方へゆくほど前記中央凹部側へ寄るように垂直から僅かに傾斜していることを特徴とする請求項１に記載の嵌合式屋根材。
【請求項３】
前記すくい側嵌合部の前記すくい側引掛け辺の先端は折り返されていることを特徴とする請求項１または２に記載の嵌合式屋根材。
【請求項４】
前記主板部ならびにその両端側縁に沿って形成されたすくい側嵌合部および被せ側嵌合部の裏面に断熱材が貼着されていることを特徴とする請求項１から３までのいずれか１項に記載の嵌合式屋根材。
【請求項５】
請求項１〜４のいずれか１項に記載の嵌合式屋根材を嵌着固定するための吊子において、
前記屋根材の主板部の幅方向に対応する、矩形状主板部の幅方向の一端側縁に沿って曲成され、一の前記屋根材の被せ側嵌合部の被せ側第１凸部を嵌合される第１固定部と、
前記矩形状主板部の幅方向の他端側縁に沿って曲成され、他の前記屋根材のすくい側嵌合部を嵌合されるとともにその上に前記一の屋根材の被せ側嵌合部の被せ側第２凸部を嵌合される第２固定部と、を具え、
前記第１固定部と前記第２固定部とが、略対称の形状をなすとともに各々、主板部の側縁からの延在位置に形成された傾斜辺と、この傾斜辺の上端から立ち上がる立上り辺と、前記屋根材の主板部の長手方向に対応する奥行き方向の、前記傾斜辺の中央部から切起こされて、この立上り辺の前記奥行き方向中央部から斜め下方に外向きに張出した引掛け辺と、前記傾斜辺の前記奥行き方向両端部から外向きに張り出した突起状の引掛け角と、前記立上り辺の上縁から略水平に内向きに張り出した頂辺と、を有し、
前記頂辺の前記奥行き方向中央部が下方へ窪んでいることを特徴とする吊子。
【請求項６】
前記主板部の前記奥行き方向両端部から前記第１固定部および前記第２固定部の傾斜辺の前記奥行き方向の両端部にかけて下向きに折曲形成されたフランジを具え、
前記引掛け角は前記フランジからの延在位置に形成されていることを特徴とする請求項５に記載の吊子。
【請求項７】
前記主板部から前記第１固定部および前記第２固定部の傾斜辺にかけて延在するように突条状に形成されたリブを有することを特徴とする請求項５または６に記載の吊子。
【請求項８】
前記主板部を支持する台形状門形の固定金具を具えることを特徴とする請求項５から７までのいずれか１項に記載の吊子。
【請求項９】
請求項１から４までのいずれか１項に記載の嵌合式屋根材と、
梁上に一定の間隔で固定された、請求項５から８までのいずれか１項に記載の吊子と、を具え、
前記吊子の前記第１固定部に一の前記屋根材の被せ側嵌合部の被せ側第１凸部を嵌合させ、さらに、
前記吊子の前記第２固定部に他の前記屋根材のすくい側嵌合部を嵌合させるとともに、そのすくい側嵌合部の上に前記一の屋根材の被せ側嵌合部の被せ側第２凸部を嵌合させることで、隣接する嵌合式屋根材どうしを順次に繋いで屋根を形成したことを特徴とする嵌合式屋根構造。
【請求項１０】
前記吊子の第１固定部の前記頂辺の端縁と、前記屋根材の被せ側嵌合部の被せ側第１凸部の前記被せ側第１立下り辺との間に隙間を設けたことを特徴とする請求項９に記載の嵌合式屋根構造。
【請求項１１】
前記吊子の第２固定部の前記傾斜辺に、前記屋根材のすくい側嵌合部の前記すくい側傾斜内辺とすくい側引掛け辺との繋ぎ部分を当接させたことを特徴とする請求項９または１０に記載の嵌合式屋根構造。
【発明の詳細な説明】
【技術分野】
【０００１】
この発明は、簡単かつ確実に屋根葺施工ができるように改善された嵌合式屋根材および、この屋根材を嵌着されて固定する吊子、並びにこれら屋根材および吊子を用いた嵌合式屋根構造に関するものである。
【背景技術】
【０００２】
従来、屋根葺きの方法として、図１（ａ），（ｂ）に示すように、屋根の梁ｂの上に一定の間隔で、それぞれ台形状門形の固定金具fを介して吊子３１を取付け、それらの吊子３１の、屋根材１の幅方向(図では左右方向)に対応する横方向の両側部に設けられた第１固定部３２および第２固定部３３のうちの第１固定部３２に、金属板からなる屋根材１の幅方向一側端部に設けられたすくい側嵌合部２を嵌合させ、さらに該すくい側嵌合部２と、吊子３１の第２固定部３３とに、隣接する他の屋根材１の幅方向他側端部に設けられた被せ側嵌合部３の中央凹部４で繋がれた二つの凸部５，６をそれぞれ重畳させて嵌着し、こうして屋根材１どうしをその幅方向に順次に繋ぎ合わせて、ボルトレス状態（嵌合式）で屋根を葺き上げる施工方法が知られている（特許文献１参照）。
【０００３】
図１（ａ），（ｂ）に示す屋根材１は、そのすくい側嵌合部２に、中央の主板部７の、屋根材１の幅方向に対応する幅方向の一端側縁から立上り部８を経て延設された折曲部である嵌合アゴ部９および、その嵌合アゴ部９から水平な頂辺１０を経て順次に延設された傾斜内辺１１および引掛け辺１２を有するとともに、その被せ側嵌合部３の二つの凸部５，６のうち主板部７に近い方の凸部５に、主板部７の上記幅方向の他端側縁から立上り部１３を経て延設された折曲部である嵌合アゴ部１４と、その嵌合アゴ部１４から水平な頂辺１５を経て順次に延設された立下り内辺１６および傾斜内辺１７とを有し、さらに、主板部７から遠い方の凸部６に、中央凹部４から順次に延設された傾斜内辺１８および僅かに内傾した立上り内辺１９と、その立上り内辺１９から水平な頂辺２０を経て延設された折曲部である嵌合アゴ部２１と、その嵌合アゴ部２１から延設された引掛け辺２２とを有している。
【０００４】
この一方、図１（ａ）に示す吊子３１と、図１（ｂ）に示す吊子３１とは異なっており、図１（ａ）に示す吊子３１は、第１，第２固定部３２，３３がそれぞれ、中央の主板部３４の上記横方向の両端縁に沿って曲成されたアゴ部３５，３６および、それらのアゴ部３５，３６から延設された水平な頂辺３７，３８を有して逆Ｌ字状をなしている。そして第２固定部３３のアゴ部３６には、回転防止用突起３９が内向きに突設されている。
【０００５】
これにより図１（ａ）に示す吊子３１は、その第２固定部３３の頂辺３８および回転防止用突起３９に、屋根材１のすくい側嵌合部２の傾斜内辺１１および引掛け辺１２を掛合させるとともに、その第２固定部３３のアゴ部３６に、屋根材１のすくい側嵌合部２の嵌合アゴ部９を掛合させることで、屋根材１のすくい側嵌合部２を第２固定部３３に嵌合させる。またこの吊子３１は、その第１固定部３１のアゴ部３５に、凸部５の嵌合アゴ部１４を掛合させるとともに、その第１固定部３１の頂辺３７に、凸部５の立下り内辺１６を掛合させることで、屋根材１の被せ側嵌合部３の凸部５を第１固定部３１に嵌合させ、さらに、第２固定部３２に嵌合したすくい側嵌合部２の傾斜内辺１１に、凸部６の立上り内辺１９を掛合させるとともに、そのすくい側嵌合部２の嵌合アゴ部９に、凸部６の嵌合アゴ部２１を掛合させることで、屋根材１の被せ側嵌合部３の凸部６を、すくい側嵌合部２を介して第２固定部３３に嵌合させる。
【０００６】
また図１（ｂ）に示す吊子３１は、第１，第２固定部３２，３３がそれぞれ、中央の主板部３４の上記横方向の両端縁から側方に順次に延設された傾斜辺４０，４１および立上り辺４２，４３を有し、さらに第１固定部３２が、その立上り辺４２から順位に延設された水平な頂辺４４および下向きに傾斜した引掛け辺４５を有し、また第２固定部３３が、その立上り辺４３から延設された下向きに傾斜した引掛け辺４６を有している。
【０００７】
これにより図１（ｂ）に示す吊子３１は、その第２固定部３３の立上り辺４３に、屋根材１のすくい側嵌合部２の傾斜内辺１１および引掛け辺１２を掛合させるとともに、その第２固定部３３の引掛け辺４６に、屋根材１のすくい側嵌合部２の嵌合アゴ部９を掛合させることで、屋根材１のすくい側嵌合部２を第２固定部３３に嵌合させる。またこの吊子３１は、その第１固定部３２の引掛け辺４５に、凸部５の嵌合アゴ部１４を掛合させるとともに、その第１固定部３２の立上り辺４２に、凸部５の立下り内辺１６を掛合させることで、屋根材１の被せ側嵌合部３の凸部５を第１固定部３２に嵌合させ、さらに、第２固定部３３に嵌合したすくい側嵌合部２の傾斜内辺１１に、凸部６の立上り内辺１９を掛合させるとともに、そのすくい側嵌合部２の嵌合アゴ部９に、凸部６の嵌合アゴ部２１を掛合させることで、屋根材１の被せ側嵌合部３の凸部６を、すくい側嵌合部２を介して第２固定部３３に嵌合させる。
【先行技術文献】
【特許文献】
【０００８】
【特許文献１】特開２００９−８４９２６号公報
【発明の開示】
【発明が解決しようとする課題】
【０００９】
しかしながら、図１（ａ）に示す吊子３１を用いる場合には、屋根材１の主板７に近い方の凸部５を吊子３１の第１固定部３２に嵌合させる際に、その第１固定部３２の頂辺３７の端縁と屋根材１の凸部５の立下り内辺１６とが摺接するため、屋根材１の裏面に傷が付く可能性があり、屋根材１の裏面に断熱材が張設されている場合はその断熱材が頂辺３７の端縁に引掛かって剥がれる可能性があるという不都合があった。また、吊子３１のアゴ部３５，３６が厚板の曲げ成形で形成されていることからその曲率半径を充分小さくできないため、屋根材１の嵌合アゴ部９，１４がそれらのアゴ部３５，３６から外れやすくなるという不都合もあり、特に屋根材１の裏面に断熱材が張設されている場合にその不都合が顕著となった。
【００１０】
さらに、第１，第２固定部３２，３３の頂辺３７，３８が吊子３１の、屋根材１の長手方向(図では紙面と直交方向)に対応する奥行き方向の寸法の全長に亘る広い平坦面を持っており、アゴ部３５，３６の下向き外面も比較的広い平坦面を持っていることから、屋根材１の裏面に断熱材が張設されている場合に、第１，第２固定部３２，３３の頂辺３７，３８およびアゴ部３５，３６の下向き外面から断熱材に加わる面圧が低くなって、断熱材があまり圧縮されず、屋根材１と吊子３１との嵌合状態に影響を与えてしまい、それゆえ吊子３１の設置高さを調整する必要があるという不都合があり、また、断熱材の有無で吊子３１の設置高さを変える必要があるという不都合もあった。
【００１１】
加えて、図１（ａ）に示す吊子３１では、アゴ部３５，３６が主板部３４から低い角度で立ち上がっており、しかも主板部３４が平坦であるので、そのままでは、屋根材１を嵌合させるために下向きの押圧力を加えるとアゴ部３５，３６が倒れやすいことから、主板部３４の上記奥行き方向の両端縁からアゴ部３５，３６にかけて上向きのフランジを溶接等で設けて主板部３４およびアゴ部３５，３６を補強しているため、吊子の製造に工数と費用が嵩むという不都合があった。
【００１２】
この一方、図１（ｂ）に示す吊子３１を用いる場合には、吊子３１の引掛け辺４５，４６の端縁の上記奥行き方向の寸法の全長に亘る長い端面に屋根材１の嵌合アゴ部９，１４が嵌合することから、屋根材１の裏面に断熱材が張設されている場合に上記嵌合により断熱材に加わる面圧が低くなって、その断熱材に引掛け辺４５，４６の端縁が食い込みにくいため、屋根材１の嵌合アゴ部９，１４が吊子３１の引掛け辺４５，４６から外れやすいという不都合があった。
【００１３】
さらに、第１固定部３２の頂辺４４が上記奥行き方向の寸法の全長に亘る平坦で広い面積を持っており、引掛け辺４５の端縁も上記奥行き方向の全長に亘る長い端面を持っていることから、屋根材１の裏面に断熱材が張設されている場合に、第１固定部３２の頂辺４４および引掛け辺４５の端面から断熱材に加わる面圧が低くなって、それら頂辺および端面が断熱材に食い込みにくいため、断熱材が屋根材１と吊子３１との嵌合状態に影響を与えてしまい、それゆえ吊子３１の設置高さを調整する必要があるという不都合があり、また、断熱材の有無で吊子３１の設置高さを変える必要があるという不都合もあった。
【００１４】
そこで、本発明は、嵌合式屋根材の施工に当たり、屋根材の裏面が傷付いたり断熱材が剥がれたりせず、また屋根材の嵌合アゴ部が吊子から外れにくく、しかも屋根材と吊子との嵌合状態が断熱材の影響を受けにくく、そして断熱材の有無にかかわらず吊子の設置高さを一定にできるような嵌合式屋根材、吊子および嵌合式屋根構造を提供することを目的としている。
【００１５】
さらに本発明は、屋根材を嵌合させるために下向きの押圧力を加えても固定部が倒れにくく、しかも製造に工数と費用が嵩まない吊子を提供することを目的としている。
【課題を解決するための手段】
【００１６】
従来技術が抱えている上述した問題点を克服して、上記の目的を実現するため鋭意研究した結果、発明者らは、以下の要旨構成に係る本発明を開発した。即ち、本発明は、矩形状主板部の幅方向両端側縁に沿ってすくい側嵌合部と被せ側嵌合部とを曲成されてなる金属板製の屋根材において、前記すくい側嵌合部は；主板部からの延在位置に形成されたすくい側立上り部と、このすくい側立上り部からの延在位置に形成されたすくい側嵌合アゴ部と、この嵌合アゴ部からの延在位置に立ち上がるすくい側傾斜外辺と、この傾斜外辺上端から略水平に張り出したすくい側頂辺と、この頂辺から下向きに形成されたすくい側傾斜内辺と、この傾斜内辺からの延在位置に形成されたすくい側引掛け辺と、によって構成され、前記被せ側嵌合部は；主板部からの延在位置に形成された被せ側立上り部と、この被せ側立上り部からの延在位置に形成された、略水平な被せ側中央凹部ならびにこの中央凹部を挟んでその両側に位置する被せ側第１凸部および被せ側第２凸部と、を連設されてなるものであって、前記第１凸部は、前記被せ側立上り部からの延在位置に形成された被せ側第１嵌合アゴ部と、この第１嵌合アゴ部からの延在位置に略水平に張り出した被せ側第１頂辺と、この頂辺端部から曲成された被せ側第１立下り辺と、この第１立下り辺下縁に形成された被せ側第１傾斜辺と、によって構成され、前記第２凸部は、前記中央凹部から曲成された被せ側第２傾斜辺と、この傾斜辺上端から立ち上げられた被せ側第２立上り辺と、この立上り辺上端から曲成された被せ側第２頂辺と、この第２頂辺端部から曲成された被せ側第２嵌合アゴ部と、この第２嵌合アゴ部下縁から外側に向けて折返された被せ側引掛け辺と、によって構成され、前記第１凸部の前記被せ側第１立下り辺は下方へゆくほど前記中央凹部側へ寄るように垂直から僅かに傾斜していることを特徴とする嵌合式屋根材を提案する。
【００１７】
なお、本発明の前記屋根材においては、前記被せ側嵌合部の前記第２凸部の前記被せ側第２立上り辺は下方へゆくほど前記中央凹部側へ寄るように垂直から僅かに傾斜していること、前記すくい側嵌合部の前記すくい側引掛け辺の先端は折り返されていること、そして前記主板部ならびにその両端側縁に沿って形成されたすくい側嵌合部および被せ側嵌合部の裏面に断熱材が貼着されていることが、より好ましい解決手段を提供できる。
【００１８】
次に、本発明は、前記嵌合式屋根材を嵌着固定するための吊子において、前記屋根材の主板部の幅方向に対応する、矩形状主板部の幅方向の一端側縁に沿って曲成され、一の前記屋根材の被せ側嵌合部の被せ側第１凸部を嵌合される第１固定部と、前記主板部の幅方向の他端側縁に沿って曲成され、他の前記屋根材のすくい側嵌合部を嵌合されるとともにその上に前記一の屋根材の被せ側嵌合部の被せ側第２凸部を嵌合される第２固定部と、を具え、前記第１固定部と前記第２固定部とが、略対称の形状をなすとともに各々、主板部の側縁からの延在位置に形成された傾斜辺と、この傾斜辺の上端から立ち上がる立上り辺と、前記屋根材の主板部の長手方向に対応する奥行き方向の、前記傾斜辺の中央部から切起こされて、この立上り辺の前記奥行き方向中央部から斜め下方に外向きに張出した引掛け辺と、前記傾斜辺の前記奥行き方向両端部から外向きに張り出した突起状の引掛け角（つの）と、前記立上り辺の上縁から略水平に内向きに張り出した頂辺と、を有し、前記頂辺の前記奥行き方向中央部が下方へ窪んでいることを特徴とする吊子を提案する。
【００１９】
なお、本発明の前記吊子においては、前記主板部の前記奥行き方向の両端部から前記第１固定部および前記第２固定部の傾斜辺の前記奥行き方向の両端部にかけて下向きに折曲形成されたフランジを具え、前記引掛け角（つの）は前記フランジからの延在位置に形成されていること、前記主板部から前記第１固定部および前記第２固定部の傾斜辺にかけて延在するように突条状に形成されたリブを有すること、そして前記主板部を支持する台形状門形の固定金具を具えることが、より好ましい解決手段を提供できる。
【００２０】
次に、本発明は、前記嵌合式屋根材と、梁上に一定の間隔で固定された前記吊子と、を具え、前記吊子の前記第１固定部に一の前記屋根材の被せ側嵌合部の被せ側第１凸部を嵌合させ、さらに、前記吊子の前記第２固定部に他の前記屋根材のすくい側嵌合部を嵌合させるとともに、そのすくい側嵌合部の上に前記一の屋根材の被せ側嵌合部の被せ側第２凸部を嵌合させることで、隣接する嵌合式屋根材どうしを順次に繋いで屋根を形成したことを特徴とする嵌合式屋根構造を提案する。
【００２１】
なお、本発明の前記嵌合式屋根構造においては、前記吊子の第１固定部の前記頂辺の端縁と、前記屋根材の被せ側嵌合部の被せ側第１凸部の前記被せ側第１立下り辺との間に隙間を設けたこと、そして前記吊子の第２固定部の前記傾斜辺に、前記屋根材のすくい側嵌合部の前記すくい側傾斜内辺とすくい側引掛け辺との繋ぎ部分を当接させたことが、より好ましい解決手段を提供できる。
【発明の効果】
【００２２】
上述した構成を採用した本発明では、嵌合式屋根材の被せ側嵌合部のうち第１凸部の被せ側第１立下り辺が、下方へゆくほど中央凹部へ近づいて垂直から僅かに傾斜している構造としたことにより、嵌合式屋根材の施工に当たり、吊子の第１固定部への嵌合の際にその第１固定部の頂辺の端縁が、第１凸部の被せ側第１立下り辺の裏面に摺接しないので、嵌合式屋根材の裏面が傷付いたり、その裏面に張設された断熱材が剥がれたりすることがない。
【００２３】
また本発明では、吊子の第１固定部と第２固定部とが、略対称の形状をなすとともに各々、主板部の側縁からの延在位置に形成された傾斜辺の奥行き方向中央部から切起こされて、立上り辺の奥行き方向の全体のうち中央部から部分的に斜め下方に外向きに張り出した短い奥行きの引掛け辺と、その傾斜辺の奥行き方向両端部から外向きに張り出した突起状の引掛け角（つの）とを具えている構造としたことにより、嵌合式屋根材の施工に当たり、屋根材のすくい側嵌合部の嵌合アゴ部および被せ側嵌合部の第１凸部の嵌合アゴ部がそれら短い奥行きの引掛け辺および突起状の引掛け角と掛合するので、屋根材のすくい側嵌合部の嵌合アゴ部が吊子から外れにくくなり、しかも傾斜辺の上端から立ち上がる立上り辺の上縁から略水平に内向きに張り出した頂辺の奥行き方向中央部が下方へ窪んでいるため、その頂辺の奥行き方向両端部のみが屋根材の被せ側嵌合部の第１凸部の頂辺およびすくい側嵌合部の頂辺と掛合するので、屋根材の嵌合アゴ部が短い奥行きの引掛け辺および突起状の引掛け角と掛合することと相俟って、屋根材の裏面に断熱材が張設されている場合に断熱材がそれらに当接する面積が狭くなってそれらから断熱材に加わる面圧が高くなり、それらが断熱材に食い込みやすいことから、屋根材と吊子との嵌合状態が断熱材の影響を受けにくくなり、また断熱材の有無にかかわらず吊子の設置高さを一定にすることができる。
【００２４】
さらに本発明では、吊子が、主板部の奥行き方向の両端部から第１固定部および第２固定部の傾斜辺の奥行き方向の両端部にかけて下向きに折曲形成されたフランジを具えたり、主板部から第１固定部および第２固定部の傾斜辺にかけて延在するように溝状に形成されたリブを有したりすることにより、屋根材を嵌合させるために下向きの押圧力を加えても固定部が倒れにくく、しかも少ない工数と費用で吊子を製造することができる。
【図面の簡単な説明】
【００２５】
【図１】（ａ）および（ｂ）は、従来の嵌合式屋根構造をそれぞれ示す概略説明図である。
【図２】本発明の一実施形態の嵌合式屋根材を示す概略説明図である。
【図３】本発明の一実施形態の嵌合式屋根構造を示す斜視図である。
【図４】上記実施形態の嵌合式屋根構造を示す概略説明図である。
【図５】（ａ），（ｂ）および（ｃ）は、本発明の一実施形態の吊子を示す正面図、側面図および平面図である。
【図６】（ａ）および（ｂ）は、上記実施形態の吊子を示す、図５（ｃ）のＡ−Ａ線およびＢ−Ｂ線にそれぞれ沿う断面図である。
【図７】上記実施形態の吊子を示す斜視図である。
【図８】（ａ），（ｂ）および（ｃ）は、上記実施形態の嵌合式屋根構造の施工方法を示す概略説明図である。
【発明を実施するための形態】
【００２６】
以下に、この発明を実施するための形態を、図面に基づき詳細に説明する。本発明の一実施形態に係る屋根材１は、金属板からなり、図２に示すように、その屋根材１の幅方向両側端部に沿ってそれぞれ凹凸状を形作るすくい側嵌合部２と被せ側嵌合部３とを具え、その被せ側嵌合部３に、底部となる中央凹部４で繋がれた二つの凸部５，６を有するものである。そしてこの屋根材１は、一の屋根材１のすくい側嵌合部２を後述する本発明の一実施形態に係る吊子３１に嵌合させ、さらにその吊子３１とすくい側嵌合部２とに他の屋根材１の被せ側嵌合部３の二つの凸部５，６を嵌合させることにより、屋根材１をその幅方向に順次に繋ぎ合わせて、ボルトレス施工方式により、図３に示すように屋根葺きするものである。なお、本実施形態の屋根材１、吊子３１および屋根構造の説明は、主に屋根材１の断面形状を基準として述べるものである。
【００２７】
まず、前記すくい側嵌合部２は、屋根材１の主板部７の一端側縁に沿って形成されたもので、主板部７から延在する位置に外側に向かって曲成されて斜め上向きに立ち上がるすくい側立上り部８に対してそこから延在する位置に設けられた部分である。その構造は、すくい側立上り部８から延在する位置において、主板部７側に張り出すように設けられた突起部によって構成されるすくい側嵌合アゴ部９と、この嵌合アゴ部９の延在上端から外側に向って略水平に張り出したすくい側頂辺１０と、この頂辺１０の端縁から主板側の斜め下向きに折曲されたすくい側傾斜内辺１１と、この傾斜内辺１１から延在する位置に外側に開くように屈曲形成されたすくい側引掛け辺１２とによって構成されている。ここで、すくい側引掛け辺１２はその先端を外側に向かって折り返されて補強されている。
【００２８】
これに対し、屋根材１の主板部７の他端側縁に沿って形成された被せ側嵌合部４は、主板部７から延在する位置に外側に向かって曲成されて斜め上向きに立ち上がる被せ側立上り部１３に対してそこから延在する位置に形成された、被せ側中央凹部４とそれを挟んだ両側の被せ側第１凸部５および被せ側第２凸部６とからなる２つの嵌合凸部を有している。
【００２９】
まず、上記第１凸部５は、被せ側立上り部１３からの延在位置にあって主板部７側に張り出す突起部によって構成される被せ側第１嵌合アゴ部１４と、この第１嵌合アゴ部１４の延在位置から外側に向って略水平に張り出した第１被せ側頂辺１５と、この頂辺１５遊端部から下向きに曲成された被せ側第１立下り辺１６と、この第１立下り辺下縁から外側斜め下向きに形成された被せ側第１傾斜辺１７とによって構成される。ここで、被せ側第１立下り辺１６は、下方へゆくほど中央凹部４側へ寄るように垂直から僅かに傾斜している。
【００３０】
そして、上記第２凸部６は、この被せ側第１傾斜辺１７からの延在位置にあって外側に向って略水平に張り出した被せ側中央凹部４を介して、第１凸部５と連結され、全体として凹部を呈する断面形状を持っている。かかる被せ側嵌合部３の中央凹部４からは、外側斜め上向きに形成された被せ側第２傾斜辺１８と、この傾斜辺１８の上端から立ち上がる被せ側第２立上り辺１９と、この立上り辺１９の上端縁から曲成されて、外側に向って略水平に張り出した被せ側第２頂辺２０と、この第２頂辺２０の遊端部から外側に向って下向きに張り出し成形された被せ側第２嵌合アゴ部２１と、この嵌合アゴ部２１の下縁から外側に向って折返して形成された被せ側引掛け辺２２とによって構成されている。ここで、被せ側第２立上り辺１９は、下方へゆくほど中央凹部４側へ寄るように垂直から僅かに傾斜している。
【００３１】
なお、この実施形態では、すくい側嵌合アゴ部９の延在上部に、外側斜め上向きに立ち上がってその上端ですくい側頂辺１０に繋がるすくい側傾斜外辺７４を形成する。また、この実施形態では、すくい側立上り部８および被せ側立上り部１３に、いずれも少なくとも１段以上の折曲部を設ける。例えば、立上り部８，１３の中央部付近に大きな折曲部を設けてもよく、図２に示すように折曲部７０，７１，７２，７３からなる補強リブを設けてもよい。これによって屋根材１の剛性が増し、熱膨張の伸縮により発生する板鳴音の防止に効果的に対処させることができる。
【００３２】
また、この実施形態では、主板部７ならびにその両端側縁に沿って形成されたすくい側嵌合部２および被せ側嵌合部３の裏面に断熱材ｈを貼着する。断熱材ｈを貼着する範囲は、例えば、すくい側引掛け辺１２から被せ側第２傾斜辺１８までとする。なお、断熱材ｈの貼着により、屋根材１の断熱性が増し、日射熱を防ぎ、室内の環境改善および省エネに寄与することができる。また、結露や騒音の防止も可能となる。
【００３３】
上記構成からなるこの実施形態の嵌合式屋根材１は、その両側端部の長手方向（奥行き方向）に沿って形成された筋形状のすくい側嵌合部２および被せ側嵌合部３を、屋根の梁ｂ上にボルトや溶接等によって一定の間隔で固定された複数個の固定金具ｆにそれぞれ固定支持された、本発明の一実施形態の吊子３１に嵌め入れることにより、隣接する一の屋根材１と他の屋根材１どうしを幅方向（横方向）に順次に接合し、図３に示す屋根を施工する際に用いられる。
【００３４】
なお、図４に示すように、上記実施形態の吊子３１は、台形状門形の固定金具ｆに、例えば図示例のボルトおよびナット等によって着脱可能に締結されるものであり、この吊子３１は、屋根材１のすくい側嵌合部３ならびに被せ側嵌合部４に対応する位置に、主板３４の幅方向両端部から上述した嵌合アゴ９，１４，２１に対応するように外向きに突設した第１固定部３２と第２固定部３３とを具えてなる。
【００３５】
そして、本発明の一実施形態の嵌合式屋根構造を形成するに当たっては、上記吊子３１の第１固定部３２に、一の屋根材１の被せ側嵌合部３の第１凸部５を嵌着し、吊子３１の第２固定部３３には、他の屋根材１のすくい側嵌合部２と、その嵌合部２の上から被せるようにして先の屋根材１の被せ側嵌合部３の第２凸部６を重畳して嵌着することにより、屋根材の嵌合構造とすることができる。
【００３６】
以下、図４に示す吊子３１を用いた上記実施形態の嵌合式屋根構造について説明する。この吊子３１は、金属製の厚板をプレス成形してなるもので、図５〜図７に詳細に示すように、主板３４の幅方向両端側縁からの延在部分を曲成した第１固定部３２と第２固定部３３とを具える構造を有している。ここで、第１固定部３２と第２固定部３３とは、互いに略対称な形状で、各々略逆Ｌ字状をなしており、主板３４の側縁から、それぞれ斜め外向きに張り出し成形された金具傾斜辺５０，５１と、この傾斜辺５０，５１の上端から内向き上方に立ち上がる立上り辺５２，５３と、屋根材１の主板部７の長手方向に対応する奥行き方向（図４では紙面と直交する方向）の、傾斜辺５０，５１の中央部から切起こされて、この立上り辺５２，５３の上記奥行き方向中央部から斜め下方に外向きに凸曲面状に張出した引掛け辺５４，５５と、立上り辺５２，５３の上縁から略水平に内向きに張り出した頂辺５６，５７と、を有している。そしてそれらの頂辺５６，５７の上記奥行き方向中央部は、下方へ窪んでいる。なお、この吊子３１の第１固定部３２の頂辺５６は、図１（ａ）に示す吊子３１の第１固定部３２の頂辺３７よりも内向き張り出し長さを短くされている。
【００３７】
また、この吊子３１は、立上り辺５２，５３の上記奥行き方向両端部から曲成された内向きフランジ５８，５９と、主板部３４の上記奥行き方向両端部から第１固定部３２および第２固定部３３の傾斜辺５０，５１の上記奥行き方向の両端部にかけて折曲された下向きフランジ６１と、を具えており、この下向きフランジ６１からの延在位置には、傾斜辺５０，５１の上記奥行き方向両端部から外向きに張り出した突起状の引掛け角（つの）６２，６３が形成されている。
【００３８】
かかる吊子３１の第１固定部３２に、一の屋根材１の被せ側嵌合部３の第１凸部５を嵌合させ、また第２固定部３３に、他の屋根材１のすくい側嵌合部２を嵌合させるとともに、その嵌合部２の上にさらに被せるようにして、先の屋根材１の被せ側嵌合部３の第２凸部６を嵌合させることにより、図４の嵌合構造が形成される。そして、屋根材１，１は、この吊子３１の上端の金具頂辺５６，５７によって下支えされると共に、引掛け辺５４，５５および引掛け角６２，６３に、屋根材１，１のすくい側嵌合部２と被せ側嵌合部３との嵌合アゴ部９，１４，２１を嵌合させることで、吊子３１を介して雨水の侵入を効果的に防止できるように、強固に固定されることになる。
【００３９】
なお、図４に示す吊子３１では、第２固定部３３の傾斜辺５１に、屋根材１のすくい側嵌合部２のすくい側傾斜内辺１１とすくい側引掛け辺１２との繋ぎ部分を当接させている。この当接状態は、屋根材１の主板部７に下方から押圧力が加わって主板部７が持ち上げられた場合に、下方向に傾こうとする屋根材１のすくい側嵌合部２の回転を抑える働きをする。
【００４０】
また、この吊子３１には、上記のように立上り辺５２，５３の上記奥行き方向両端部には内向きフランジ５８，５９が曲成され、主板部３４の上記奥行き方向両端部から第１固定部３２および第２固定部３３の傾斜辺５０，５１の上記奥行き方向の両端部にかけては下向きフランジ６１が曲成されているのに加えて、主板部３４から第１固定部３２および第２固定部３３の傾斜辺５０，５１にかけて延在するように突条状に形成された４本のリブ６０を有しており、これらのフランジ５８，５９，６１およびリブ６０は吊子３１を補強して、吊子３１に屋根材１，１を嵌着する際に、押圧によって第１固定部３２と第２固定部３３とが倒れるのを防止することができる。しかも、これらのフランジ５８，５９，６１およびリブ６０は厚板へのプレス成形で形成できるので、この吊子３１は、工数と費用が嵩まずに製造することができる。
【００４１】
本実施態様の屋根材１では、図３および図４に示すように、屋根材１の被せ側嵌合部３に、中央凹部４を介して２つの嵌合凸部、即ち第１凸部５および第２凸部６を設け、該第１凸部５によって吊子３１に強固に嵌合すると共に、第２凸部６によって、吊子３１および他の屋根材１のすくい側嵌合部２と強固に嵌着するように構成している。これにより、被せ側嵌合部３の第１凸部５，第２凸部６は共に片アゴ構造となり、小さい押圧力（弾性力）によって吊子３１およびすくい側嵌合部２と簡単に嵌合することができる
【００４２】
また、本実施形態の嵌合式屋根構造では、中央凹部４からの延在位置にある被せ側第２立上り辺１９と、すくい側嵌合部２の傾斜内辺１１とが、屋根材１の長手方向に連続して沿うように形成されている。このため、被せ側嵌合部３の被せ側第２立上り辺１９とすくい側嵌合部２の傾斜内辺１１とが、屋根材１，１の主板部７に加わった押圧力を横から支えるように支持反力（壁反力）を発揮し、強風や台風等によって大きな負圧が加わったとしても、屋根材１，１が浮き上がって回転することがなく、嵌合状態を常に一定に保持することができる。
【００４３】
また、一の屋根材１のすくい側嵌合部２上に、他の屋根材１の被せ側嵌合部３を重畳させる際、被せ側嵌合部３の立上り辺１９は、すくい側嵌合部２の傾斜内辺１１を横から支持するようにして嵌め入れられるため、該立上り辺１９が支持壁の役割を果たし、したがって吊子３１の無い部分であっても、すくい側嵌合部２が、被せ側嵌合部３による嵌合押圧によって押し倒されて回転したり沈み込んだりするようなことがない。
【００４４】
また、本実施形態の屋根材１では、すくい側嵌合部２の傾斜内辺１１を、嵌合アゴ部９側に傾斜させたことにより、第２固定部３３に嵌合させたすくい側嵌合部２がズレ落ち難くなると共に、すくい側嵌合アゴ部９と、被せ側第２嵌合アゴ部２１とを嵌合させる際に、被せ側嵌合部３の立上り辺１９を、すくい側嵌合部２の傾斜内辺１１に沿って落とし込み易いという効果がある。
【００４５】
さらに、本実施形態の屋根材１では、すくい側嵌合部２に傾斜外辺７４を設けて窪みを付けたことにより、すくい側嵌合部２と被せ側嵌合部３との間に隙間が形成され、この隙間が空気層となって、被せ側引掛け辺２２とすくい側立上り部８との間の隙間からの毛細管現象による浸水を防止することができる。
【００４６】
また、本実施形態の屋根材１では、すくい側嵌合部２の引掛け辺１２は、外側に開くように形成されているため、吊子３１の第２固定部３３にすくい側嵌合部２を落とし込み易く、同様に、被せ側嵌合部３に傾斜辺１７，１８を設け、第１凸部５と第２凸部５の下部が開くように形成されているため、被せ側嵌合部３を吊子３１およびすくい側嵌合部２に容易に落とし込むことができる。
【００４７】
次に、図４に示す本実施形態の吊子３１に、本実施形態の屋根材１，１を嵌着し、図３に示すような屋根を施工する方法について、図８に基づいて説明する。まず、第１工程では、図８（ａ）に示すように、吊子３１の第２固定部３３上に、一の嵌合式屋根材１のすくい側嵌合部２を載置し、次いで、すくい側引掛け辺１２を回し込みながら落し入れた後、屋根材主板部を幅方向（左右方向）に回転させると共に、同図中矢印(1)で示すようにすくい側嵌合部２の頂部を足で踏む等して押圧し、屋根材１を主板部が略水平になるようにすると同時に、すくい側嵌合アゴ部９と、吊子３１の引掛け辺５５および引掛け角６３とを、雨水や風の浸入を防止できるように確実に嵌着させる。
【００４８】
第２工程では、図８（ａ）中矢印(2)および矢印(3)で示すように、他の嵌合式屋根材１を、その被せ側嵌合部３の第１凸部５と第２凸部６とが、第１工程後の、吊子３１の第１固定部３２と第２固定部３３との上に位置するように載置し、次に、該屋根材１の被せ側第１凸部５を押し下げて吊子３１の第１固定部３２に嵌め入れると同時に、図８（ｂ）中矢印(4)で示すように、被せ側第１嵌合アゴ部１４と、吊子３１の引掛け辺５４および引掛け角６２とを嵌め合わせる。そして、引き続き、該屋根材１の被せ側第２凸部６を、第１工程において吊子３１の第２固定部３３上に嵌合させた、先の屋根材１のすくい側嵌合部２に重合するまで、該屋根材１を回し込む。
【００４９】
次に、第３工程では、図８（ｂ）中矢印(5)で示すように、すくい側嵌合部２側、即ち、吊子３１の第２固定部３３側にある該被せ側第２凸部９の、外側の被せ側第２嵌合アゴ部２１側を押し下げることにより、図８（ｃ）中矢印(6)で示すように、被せ側嵌合アゴ部２１と、すくい側嵌合アゴ部９ならびに吊子３１の引掛け辺５５および引掛け角６３とを嵌め合わせ、吊子３１への隣り合う屋根材１，１のすくい側嵌合部２と被せ側嵌合部３との重畳嵌着を果たして屋根葺を行う。
【００５０】
これにより本実施形態の嵌合式屋根構造では、すくい側嵌合部２が被せ側嵌合部３の嵌合押圧によって沈み込むことがなく、小さい押圧力によって簡単かつ確実に屋根葺き施工をすることができる。
【００５１】
しかも本実施形態の嵌合式屋根構造では、本実施形態の屋根材１の被せ側嵌合部３のうち第１凸部５の被せ側第１立下り辺１６を、下方へゆくほど中央凹部４へ近づけて垂直から僅かに傾斜させ、また吊子３１の第１固定部３２の頂辺１５の張出し長さを短くしたことにより、屋根材１の施工に当たり、吊子３１の第１固定部３２への嵌合の際に、その第１固定部３２の頂辺１５の端縁が、第１凸部５の被せ側第１立下り辺１６の裏面に摺接しないので、屋根材１の裏面が傷付いたり、その裏面に張設された断熱材ｈが剥がれたりすることがない。
【００５２】
また本実施形態の嵌合式屋根構造では、本実施形態の吊子３１の第１固定部３２と第２固定部３３とが、略対称の形状をなすとともに各々、主板部３４の側縁からの延在位置に形成された傾斜辺５０，５１の奥行き方向中央部から切起こされて、立上り辺５２，５３の奥行き方向の全体のうち中央部から部分的に斜め下方に外向きに張り出した短い奥行きの引掛け辺５４，５５と、その傾斜辺５０，５１の奥行き方向両端部から外向きに張り出した突起状の引掛け角６２，６３とを具えていることにより、嵌合式屋根材１の施工に当たり、屋根材１のすくい側嵌合部２の嵌合アゴ部９および被せ側嵌合部３の第１凸部５の嵌合アゴ部１４がそれら短い奥行きの引掛け辺５４，５５および突起状の引掛け角６２，６３と掛合するので、屋根材１のすくい側嵌合部２の嵌合アゴ部９が吊子３１から外れにくくなり、しかも傾斜辺５０，５１の上端から立ち上がる立上り辺５２，５３の上縁から略水平に内向きに張り出した頂辺５６，５７の奥行き方向中央部が下方へ窪んでいるため、その頂辺５６，５７の奥行き方向両端部のみが屋根材１の被せ側嵌合部３の第１凸部５の頂辺１５およびすくい側嵌合部２の頂辺１０と掛合するので、屋根材１の嵌合アゴ部９，１４が短い奥行きの引掛け辺５４，５５および突起状の引掛け角６２，６３と掛合することと相俟って、屋根材１の裏面に断熱材ｈが張設されている場合に断熱材ｈがそれらに当接する面積が狭くなってそれらから断熱材ｈに加わる面圧が高くなり、それらが断熱材ｈに食い込みやすいことから、屋根材１と吊子３１との嵌合状態が断熱材ｈの影響を受けにくくなり、また断熱材ｈの有無にかかわらず吊子３１の設置高さを一定にすることができる。
【００５３】
以上、図示例に基づき説明したが、この発明は上述の例に限定されるものでなく、特許請求の範囲の記載範囲内で適宜に変更し得るものであり、例えば、屋根材１の被せ側嵌合部３の第２凸部６の立上り辺１９は、ほぼ垂直に立ち上がるものでもよい。また、吊子３１の主板部３４および傾斜辺５０，５１は、リブ６０をなくした平坦なものとすることもできる。そして吊子３１は、固定金具ｆを一体に、あるいはボルト・ナット等で結合されて具えるものでもよい。
【産業上の利用可能性】
【００５４】
本発明は、一般住宅や学校、ガレージ、工場、倉庫、店舗、集会場、体育館当の屋根材として利用することができる。
【符号の説明】
【００５５】
１  屋根材
２  すくい側嵌合部
３  被せ側嵌合部
４  被せ側中央凹部
５  被せ側第１凸部
６  被せ側第２凸部
７  主板部
８  すくい側立上り部
９  すくい側嵌合アゴ部
１０  すくい側頂辺
１１  すくい側傾斜内辺
１２  すくい側引掛け辺
１３  被せ側立上り部
１４  被せ側第１嵌合アゴ部
１５  被せ側第１頂辺
１６  被せ側第１立下り辺
１７  被せ側第１傾斜辺
１８  被せ側第２傾斜辺
１９  被せ側第２立上り辺
２０  被せ側第２頂辺
２１  被せ側第２嵌合アゴ部
２２  被せ側引掛け辺
３１  吊子
３２  第１固定部
３３  第２固定部
３４  主板部
３５，３６  アゴ部
３７，３８  頂辺
３９  回転防止用突起
４０，４１  傾斜辺
４２，４３  立上り辺
４４  頂辺
４５，４６  引掛け辺
５０，５１  傾斜辺
５２，５３  立上り辺
５４，５５  引掛け辺
５６，５７  頂辺
５８，５９  内向きフランジ
６０  リブ
６１  下向きフランジ
６２，６３  引掛け角（つの）
７０，７１，７２，７３  折曲部
７４  すくい側傾斜外辺
ｂ  梁
ｆ  固定金具
ｈ  断熱材
【図１】
2011219980.tif 000003
【図２】
2011219980.tif 000004
【図３】
2011219980.tif 000005
【図４】
2011219980.tif 000006
【図５】
2011219980.tif 000007
【図６】
2011219980.tif 000008
【図７】
2011219980.tif 000009
【図８】
2011219980.tif 000010